(57)【要約】【課題】  機器類の稼動時における状況、流体が流れている配管等の状況を聴診により点検すると共に、その点検箇所を正確に検出することで、機器類は元より長尺な配管のように広範囲な監視範囲であってもその異常個所と異常状況を確実かつ容易に点検する。【解決手段】  点検箇所２それぞれに取り付けた点検指標３と、点検指標３から発信する情報を読み取り、その点検箇所２を検出する読取装置４と、その点検箇所２を聴診する聴診装置５とを装着した自走ロボット６と、自走ロボット６の読取装置４と別の場所にある端末装置１５に備えた判定装置７間の情報を授受する伝送装置８と、自走ロボット６の聴診装置５で測定した振動の周波数と振幅を信号に変換し、この信号を既知のデータと比較・分析して配管、機器類１の点検箇所２の異常等の状況を判定する判定装置７と、を備えた。【選択図】  図２
2006184027.tif 000002
【特許請求の範囲】
【請求項１】
配管、機器類（１）の損耗や亀裂などの状況について、複数の点検箇所（２）を聴診により点検する聴診点検装置であって、
前記点検箇所（２）それぞれに取り付けた点検指標（３）から発信する情報を読み取り、その点検箇所（２）を位置検出する読取装置（４）と、その点検箇所（２）を聴診する聴診装置（５）とを搭載した自走ロボット（６）と、
前記自走ロボット（６）の聴診装置（５）で測定した振動の周波数と振幅を信号に変換し、この信号を既知のデータと比較・分析して前記配管、機器類（１）の点検箇所（２）の異常等の状況を判定する判定装置（７）と、
前記自走ロボット（６）の聴診装置（５）と、別の場所にある前記判定装置（７）間の情報を授受する伝送装置（８）と、
を備えた、ことを特徴とする自走ロボットを用いた聴診点検装置。
【請求項２】
前記点検指標（３）はＲＦＩＤである、ことを特徴とする請求項１の自走ロボットを用いた聴診点検装置。
【請求項３】
前記自走ロボット（６）に搭載した聴診装置（５）は、先端に聴診球（１０）を具備する聴診棒（９）と信号変換器（１１）を備えたものである、ことを特徴とする請求項１の自走ロボットを用いた聴診点検装置。
【請求項４】
前記聴診装置（５）は、前記点検箇所（２）に直接設置された無線式の骨伝導マイクロホン（２５）で振動の周波数と振幅を授受するものである、ことを特徴とする請求項１の自走ロボットを用いた聴診点検装置。
【請求項５】
前記点検箇所（２）における点検指標（３）の近傍に、前記配管、機器類（１）の振動を伝達させる聴診受台（１９）を取り付けた、ことを特徴とする請求項１の自走ロボットを用いた聴診点検装置。
【請求項６】
前記聴診受台（１９）は、前記聴診球（１０）が常に一定の接触圧で当たりやすいように、略擂り鉢状の凹面部（１９ａ）を有するものである、ことを特徴とする請求項３の自走ロボットを用いた聴診点検装置。
【請求項７】
前記判定装置（７）は、
前記配管、機器類（１）の点検箇所（２）を聴診したときの該配管、機器類（１）の損耗や亀裂などの状況との関係を、実際の経年配管、機器類（１）、損耗の状況等を模擬した実験装置による基礎データを同一負荷状態における配管、機器類の状況と周波数と振幅の相関として採取する基礎データ採取手段と、
配管、機器類の点検箇所（２）について、前記聴診装置（５）を用いてその振動の周波数と振幅を測定する測定手段と、
前記聴診装置（５）で測定した振動の周波数と振幅の測定値と、前記基礎データに基づく相関とを用いて、前記配管、機器類（１）の点検箇所（２）の損耗や亀裂などの状況を判定する判定手段と、を備えたものである、ことを特徴とする請求項１の自走ロボットを用いた聴診点検装置。
【請求項８】
前記伝送装置（８）は、無線方式の通信手段を備え、監視所などに設置された端末装置（１５）と信号の授受を行う、ことを特徴とする請求項１の自走ロボットを用いた聴診点検装置。
【請求項９】
断熱材（２０）を被覆した配管、機器類（１）の点検箇所（２）における点検指標（３）の近傍に、
該断熱材（２０）の隙間を貫通する聴診補助具本体（２２）と、
該聴診補助具本体（２２）の両端に、前記配管、機器類（１）の表面に直接接触・固定させる音聴収部（２３）と、
前記聴診装置（５）で聴診する頭部（２４）と、を具備して成る聴診補助具（２１）を、取り付けた、ことを特徴とする請求項１の自走ロボットを用いた聴診点検装置。
【発明の詳細な説明】
【技術分野】
【０００１】
本発明は、発電所・変電所又は工場などの配管、機器類の稼動時における状況、流体が流れている配管等の状況を聴診により継続的な管理を行うことで異常を点検する聴診点検装置に係り、特に長尺の配管のような監視範囲が広範囲かつ点検ポイントが膨大な数に及ぶものについて、その異常を自走ロボットで巡回点検する自走ロボットを用いた聴診点検装置に関するものである。
【背景技術】
【０００２】
従来より、発電所・変電所又は工場などの機器類の稼動時における状況の監視、配管の状況の確認等の監視などは、人がパトロールしてその現場における人の状況判断、或いはそこで取得した情報を以前のデータと比較して行っていた。例えば、点検に熟練した作業者が、発電所・変電所又は工場へ赴き、配管や機器類の状況を点検していた。
【０００３】
また、コスト低減を図りながら巨大化する設備における配管を点検する技術が提案されている。例えば、特許文献１の特開平５−８７６６９号「配管漏洩検査方法」に、化学プラント等において水、油等を輸送する配管からの漏洩の有無を判定する技術が種々提案されている。
【０００４】
この特許文献１に記載されている配管漏洩検査方法は、配管の２点における音圧を検出し、所定値以下の音圧の周波数成分を除去して得た音圧について、この音圧の波形と強度を基準値と比較して漏洩の有無を判定するとともに、前記２点における漏洩音の伝播時間差から漏洩地点を算出することを特徴とする方法である。この点検方法は、５ｋＨｚ以下の低周波数帯域の音圧成分を除去することにより流動音、機械音等の外乱を大幅に除去できるから、配管内に水、油等を流動させた状態であっても漏洩点検をなし得るものである。
【特許文献１】特開平５−８７６６９号
【発明の開示】
【発明が解決しようとする課題】
【０００５】
しかし、上述したような熟練した作業者を監視作業に従事させることは、コスト低減を図りながら巨大化する設備における配管や機器類の状況について漏れの無い点検パトロールを行おうとする傾向に反するものであった。特に、発電所・変電所又は工場内における長尺な配管のような監視範囲が広範囲かつ点検ポイントが膨大なものについては、熟練した作業者といえども完璧にその状況を監視することが困難であるという問題を有していた。
【０００６】
配管類の管壁の減肉という事象は１０年〜２０年という長い年月をかけて進行するものである。このような配管類の長い年月にわたって変化する異常について、人が判断することは大変困難であった。また、作業者のローテーションや高齢化などは継続的・持続的なきめ細かい維持管理を困難なものとしているだけでなく、人による判定は時々の体調や個人差なども介在するため、トラブルや事故防止の観点からも、長い年月をかけて徐々に進行する機器や配管類の経年劣化の良否判定を自動的かつ正確に行うシステムが渇望されている。
【０００７】
そこで、本発明の発明者は、古くから使用されている「聴診点検」に着目した。機器類の発する振動や音は機器類の運転状態における状況を端的に表している。その振動や音は種々の集音装置や振動検知装置などで捉えることができる。機器のみならず、配管類の中を流れる流体の状況や経年による配管内面の損耗や亀裂などの状況を端的に捉えることができ、古くから「聴診棒」が使用されていることに着目した。
【０００８】
更に、本発明の発明者は、点検位置の検出にＲＦＩＤ（Ｒａｄｉｏｄ  Ｆｒｅｑｕｅｎｃｙ  Ｉｄｅｎｔｉｆｉｃａｔｉｏｎ）を用いることに着目した。このＲＦＩＤは、情報の保存は勿論のこと、搭載したアンテナを通じてリーダ（読取装置）やライタ（書込み装置）で情報を読み書きすることができるという特性がある。外部から電源を供給することなく、読取装置又は書込み装置が発する電波を受信し、自らの設置位置や必要な情報の送受信ができ、現在日進月歩で性能が向上しつつあることにも着目した。
【０００９】
本発明は、上述した問題点を解決するために創案されたものである。すなわち本発明の目的は、機器類の稼動時における状況、流体が流れている配管等の状況を聴診により点検すると共に、その点検箇所を正確に検出することで、機器類は元より長尺な配管のように広範囲な監視範囲であってもその点検ポイントと異常の有無および異常の状況を確実かつ容易に点検することができる自走ロボットを用いた聴診点検装置を提供することにある。
【課題を解決するための手段】
【００１０】
本発明によれば、配管、機器類（１）の損耗や亀裂などの状況について、複数の点検箇所（２）を聴診により点検する聴診点検装置であって、前記点検箇所（２）それぞれに取り付けた点検指標（３）から発信する情報を読み取り、その点検箇所（２）を位置検出する読取装置（４）と、その点検箇所（２）を聴診する聴診装置（５）とを搭載した自走ロボット（６）と、前記自走ロボット（６）の聴診装置（５）で測定した振動の周波数と振幅を信号に変換し、この信号を既知のデータと比較・分析して前記配管、機器類（１）の点検箇所（２）の異常等の状況を判定する判定装置（７）と、前記自走ロボット（６）の聴診装置（５）と、別の場所にある前記判定装置（７）間の情報を授受する伝送装置（８）と、を備えた、ことを特徴とする自走ロボットを用いた聴診点検装置が提供される。
前記点検指標（３）はＲＦＩＤである。
【００１１】
前記自走ロボット（６）に搭載した聴診装置（５）は、先端に聴診球（１０）を具備する聴診棒（９）と信号変換器を備えたものである。
前記点検箇所（２）における点検指標（３）の近傍に、前記配管、機器類（１）の聴診音を伝達させる聴診受台（１９）を取り付けることが好ましい。
前記聴診受台（１９）は、前記聴診球（１０）が常に一定の接触圧で当たりやすいように、略擂り鉢状の凹面部（１９ａ）を有するものである。
【００１２】
前記聴診装置（５）は、前記点検箇所（２）に直接設置された無線式の骨伝導マイクロホン（２５）で振動の周波数と振幅を授受するものである。
【００１３】
前記判定装置（７）は、前記配管、機器類（１）の点検箇所（２）を聴診したときの該配管、機器類（１）の損耗や亀裂などの状況との関係を、実際の経年配管、機器類（１）、損耗の状況等を模擬した実験装置による基礎データを同一負荷状態における配管、機器類の状況と周波数と振幅の相関として採取する基礎データ採取手段と、配管、機器類の点検箇所（２）について、前記聴診装置（５）を用いてその振動の周波数と振幅を測定する測定手段と、前記聴診装置（５）で測定した振動の周波数と振幅の測定値と、前記基礎データに基づく相関とを用いて、前記配管、機器類（１）の点検箇所（２）の損耗や亀裂などの状況を判定する判定手段と、を備えたものである。
前記伝送装置（８）は、マイクロ波方式のＲＦＩＤである。
また、前記伝送装置（８）は、無線方式の通信手段を備え、監視所などに設置された端末装置（１５）と信号の授受を行う。
【００１４】
断熱材（２０）が被覆されている場合は断熱材の一部を切除して聴診受け台を設置した配管、機器類（１）の点検箇所（２）における点検指標（３）の近傍に、該断熱材（２０）の隙間を貫通する聴診補助具本体（２２）と、該聴診補助具本体（２２）の両端に、前記配管、機器類（１）の表面に直接接触させる音聴収部（２３）と、前記聴診装置（５）で聴診する頭部（２４）と、を具備して成る聴診補助具（２１）を取り付けることも可能である。
【発明の効果】
【００１５】
本発明の聴診点検装置は、配管、機器類（１）の損耗や亀裂などの状況について、「聴診点検」という従来から行っている最も基本的で最も信頼のおける点検手段を自動化して行うことができる。特に、自走ロボット（６）を用いて配管、機器類（１）の点検箇所（２）それぞれに取り付けた各点検指標（３）から発信する情報を読み取り、点検箇所（２）を容易に位置検出し、その箇所を聴診方法で巡回点検することができる。ＲＦＩＤのような点検指標（３）を用いたので、長尺な配管のように広範囲かつ膨大な点検ポイントが存在するような監視範囲であってもその異常個所と異常状況を確実かつ容易に点検することができ、より効率的な配管、機器類（１）の保守が可能となる。
【００１６】
しかも、配管、機器類（１）の劣化状態を、聴診装置（５）で採取したデータを変換した信号と、基礎データとを用いることで点検箇所（２）の余寿命を高精度に推定することも可能である。そこで、配管、機器類（１）の交換周期又は交換時期について余裕を持って確認できることから、より効率的かつ安全な機器の保守が可能となる。
【００１７】
また、前述のように配管（１）の周囲に断熱材（２０）が被覆されているために、直接聴診できない点検箇所（２）についても、聴診補助具（２１）を介在することにより、聴診棒（９）の聴診球（１０）をこの聴診補助具（２１）の頭部（２４）に当てて測定することも可能である。
【発明を実施するための最良の形態】
【００１８】
本発明の聴診点検装置は、配管、機器類の点検箇所に取り付けた点検指標（ＲＦＩＤ）を位置検出する読取装置と、その点検箇所を聴診する聴診装置とを搭載した自走ロボットと、その点検箇所の異常等の状況を判定する判定装置と、聴診装置と別の場所にある判定装置間の情報を授受する伝送装置とを備えた装置である。この自走ロボットを複数の点検箇所に巡回移動させて広範囲な監視範囲における異常個所と異常状況を点検する装置である。なお、聴診装置は配管、機器類の振動を信号に変換してロボット内の装置に取り込むものであるが、聴診部をロボットに搭載した形態と配管、機器類に常時設置しておき、ロボットからの指令で振動の検出、信号への変換、ロボットへの送信を行う形態とを備える。
【実施例１】
【００１９】
以下、本発明の好ましい実施の形態を図面を参照して説明する。
図１は実施例１の自走ロボットを用いた聴診点検装置を用いて配管の点検箇所を聴診する状態を示す説明図である。図２は聴診点検装置を示す装置構成図である。
本発明の実施例１の聴診点検装置は、配管、機器類１等の複数の点検箇所２それぞれに取り付けた点検指標３から発信する情報を読み取り、その点検箇所２を位置検出する読取装置４と、その点検箇所２を聴診する聴診装置５とを搭載した自走ロボット６と、自走ロボット６の聴診装置５で測定した振動の周波数と振幅を信号に変換し、この信号を既知のデータと比較・分析して配管、機器類１の点検箇所２の異常等の状況を判定する判定装置７と、自走ロボット６の聴診装置５と、別の場所にある判定装置７間の情報を授受する伝送装置８とを備えたものである。
【００２０】
本発明の実施例１の聴診点検装置を用いて配管、機器類１を聴診点検するときは、図１に示すように、先ず配管、機器類１の点検箇所２それぞれにＲＦＩＤのような点検指標３を取り付ける。この点検指標３として機能するＲＦＩＤは、点検箇所２を位置検出するものである。このＲＦＩＤは、情報を電子回路に記憶し、非接触の交信を行う自動認識技術に係り、例えばＩＣタグなどがある。
【００２１】
本発明では、この点検指標３に点検機器名、点検箇所番号、運転初期値等の固有情報が収録されたＲＦＩＤを用いている。例えば、この点検指標３として機能するＲＦＩＤに搭載したアンテナを通じて読取装置４や書込み装置で情報を読み書きする。このＲＦＩＤは、外部から電源を供給することなく読取装置４又は書込み装置が発する電波を受信し、電磁誘導などの仕組みで電流を発生させることができる。勿論、ＲＦＩＤにバッテリーを内蔵することは可能である。
なお、伝送装置８は監視所のコンピュータやパソコンなどの端末装置１５と交信し、採取したデータをストックし、比較・分析を行うために自走ロボット６に組み込んでいる。しかし、この点検指標３となるＲＦＩＤに代えて、ＰＨＳや無線ＬＡＮなどの無線方式の通信手段を用いることも可能である。
【００２２】
配管、機器類１の点検箇所２のＲＦＩＤに記憶させる情報は、例えば自走ロボット６側の情報や行動パターンなどがある。即ち、点検箇所２のＲＦＩＤ側から発する情報と自走ロボット６側から発する情報の組み合わせにより、最も効果的かつ効率的で目的に合致した点検パトロールを可能にする。例えば、点検箇所２はいろいろな場所のさまざまな位置に存在することから、自走ロボット６が点検箇所２に最も近い走行可能な場所まで移動し、聴診装置５の聴診棒９を伸ばして聴診球１０で点検箇所２を聴診点検する。
【００２３】
この点検指標３（ＲＦＩＤ）を取り付けた箇所は、そのまま聴診による点検箇所２になり、聴診装置５の聴診棒９の聴診球１０で、その配管、機器類１から発する振動が、配管、機器類１の運転状態における状況を表している。そこで、この振動を自走ロボット６に備えた聴診棒４に隣接して設置した信号変換器１１で信号に変換し、点検箇所２に関するデータを測定することができる。この捉えた振動の相違を解析することで、その点検した配管、機器類１の中を流れる流体の状況や経年による配管内面の損耗や亀裂などの状況を把握することができる。
【００２４】
点検箇所２のＲＦＩＤには設備番号、設備の初期情報、点検時期情報など、配管、機器類１等の設備の個体情報を予め記憶させておく。自走ロボット６はこれとの照合により、点検の要・不要を判断しながら走行させる。
【００２５】
自走ロボット６は、図２に示すように、点検指標３から発信する情報を読み取り、その点検箇所２を位置検出する読取装置４と、その点検箇所２を聴診する聴診装置５とを装着したものである。例えば、モータのような駆動装置１２でタイヤ１３を駆動して走行するようになっている。このときに制御装置１４によりタイヤ１３の速度の設定や制御ができるようになっている。なお、床に凹凸があるときには駆動装置１２としてキャタピラ方式を用いることが望ましい。また、動力源としてはモータのバッテリーに限らず、ガソリンエンジンを用いることもできる。
【００２６】
次に、配管、機器類１における点検箇所２の位置を検出した自走ロボット６は、その点検箇所２について聴診装置５で聴診し、その測定結果を伝送装置８を利用して遠隔の監視所のコンピュータやパソコンなどの端末装置１５に伝送する。この伝送された測定結果を既知のデータと比較・分析して配管、機器類１の点検箇所２の異常等の状況を把握する。例えば、聴診による異常の有無はその点検箇所２の初期情報、前回情報と現在測定中の情報の周波数や振幅の絶対値、波形などを比較することにより判断する。
【００２７】
自走ロボット６の形状は、上述した読取装置４、聴診装置５、伝送装置８と共にバッテリー等の駆動源を備えたものである。この自走ロボット６は、安定に走行させるためにバッテリー等の重い動力源を下方に配置して重心が低くなるように構成することが好ましい。
【００２８】
また、自走ロボット６には、赤外線センサー等を備えることができる。自走ロボット６の通常の走行時に一定の安全速度で床に埋め込んだ誘導線や床に描いた誘導表示バーなどを読み取りながら進むが、障害物から一定の距離を保つことができる機能を備えさせることができる。更に、点検現場や配管、機器類１の状況を捕らえることのできるカメラ、マイクロホン（図示していない）等を装着することができる。このようにカメラ、マイクロホン等を装着することで、聴診による点検以外にその点検箇所２周囲の状況も遠隔地から把握することも可能である。
【００２９】
このように、自走ロボット６は、聴診点検するために配管、機器類１の点検箇所２に設置した点検指標３のＲＦＩＤからの発信情報、自走ロボット６が有している位置測定機能または監視者による遠隔操作により必要な位置まで接近させる。なお、自走ロボット６が概ねの位置に到着すると、その底部から四角錘などの形状をした軸が床に設置された位置決め孔に嵌入され、正確な位置決めを行う。これにより、聴診装置５の聴診球１０を正確に聴診受台１９の中央に接触させることができる。
【００３０】
自走ロボット６に搭載した聴診装置５は、自走ロボット６の上部に揺動自在になる聴診棒９の先端に聴診球１０を取り付けたものである。この聴診球１０を点検しようとする配管、機器類１の点検箇所２に当てて聴診することができる。この聴診装置５は、聴診球１０付きの聴診棒９の形状に限定されず、例えば聴診棒９を直接点検箇所２に当てて聴診する方式、又は聴診針を点検箇所２に当てて聴診する方式等の種々の形状にすることができる。
【００３１】
自走ロボット６に搭載した読取装置４から端末装置１５との情報を授受するように構成することができる。自走ロボット６と併用または単独でＰＤＡや携帯端末を使用して巡視者が交信し、さらにこの読取装置４から端末装置１５との情報を授受するように構成することができる。
【００３２】
既存の「ブルートウース」などの新規構築の無線ＬＡＮ用通信機器を使用し、点検指標３のＲＦＩＤとの間で情報の授受を行い、さらに端末装置１５との情報授受するように構成することができる。
勿論、有線通信方式で聴診装置５およびＲＦＩＤとの情報の授受を行い、さらにこの読取装置４から端末装置１５器との情報を授受するように構成することができる。
【００３３】
あるいは、自走ロボット６から伸ばした聴診装置５の先端に聴診球１０と信号変換器１１を設置し、リード線などにより自走ロボット本体１６の記録媒体にデータを収納するように構成し、聴診受台１９に聴診球１０と信号変換器１１を設置し変換信号を聴診装置５に無線方式で送信することもできる。または有線方式で信号授受をしやすい場所までインターフェイスを引き出しここで受信することもできる。
【００３４】
図３は聴診結果を判定するためのシステムを示すブロック図である。図４は聴診による配管、機器類の点検箇所の損耗や亀裂などの状況を判定する状態を示すフロー図である。
本発明の自走ロボットを用いた聴診点検装置は、図３と図４に示すようなシステムとフロー図のような方法で実施する。先ず、予め配管、機器類１の点検箇所２について、それを聴診したときの配管、機器類１の損耗や亀裂などの状況との関係を経年配管、機器類１、損耗の状況等を模擬した実験装置により基礎データとして採取しておく。例えば、配管、機器類１の種類、点検部位等を入力し、配管、機器類１の正常状態の聴診音のデータと、異常状態の聴診音のデータをデータベース１７に蓄積しておく。
【００３５】
次に、実際の点検に際して配管、機器類１の点検箇所２について、聴診装置５で振動の周波数と振幅を測定する。この聴診装置５により測定した振動の周波数と振幅の測定値と、予めデータベース１７に蓄積した基礎データとそれを元にした相関を用いて、演算処理部１８で配管、機器類１の点検箇所２の損耗や亀裂などの状況を判定する。聴診により測定した振動音の周波数と振幅の測定信号について、配管、機器類１の損耗、亀裂の有無の判定を行う。その判定の結果として「点検すべき亀裂・損耗有り」又は、「急を要さない損耗などの程度」又は「異常なし」という結果を得る。「点検すべき亀裂・損耗有り」の判定結果のときは直ぐにその点検箇所２を保守、修理する。このような判定装置を用いて、記録・照合・異常の有無を判断した上で通報等に必要な対応ができる。
【実施例２】
【００３６】
図５は実施例２の配管の点検箇所に点検指標のＲＦＩＤと共に聴診受台を取り付けた状態を示す正面図である。図６は実施例２の配管の点検箇所に点検指標のＲＦＩＤと共に聴診受台を取り付けた状態示す断面図である。図７は実施例２の聴診受台を示す拡大断面図である。
実施例２では、点検箇所２に点検指標３のＲＦＩＤと共に聴診受台１９を取り付けた。点検箇所２に聴診棒９の先端（聴診球１０）が常に所定の場所かつ同じ状態で接触するために、例えば聴診球１０を電磁石にしておき一定の接触圧を確保するよう構成することができる。点検箇所２の接触面が必ずしも一定の接触状態となりにくい場合があるので、点検箇所２に聴診受台１９を設けた。この聴診受台１９は一面を配管１の表面に堅固に接着させ、聴診受台１９の他面に聴診棒９の聴診球１０を当てる凹面を形成したものである。例えば、この聴診受台１７を、聴診球１０が常に一定の接触圧で当たりやすいように、略擂り鉢状の凹面部１９ａを形成することが望ましい。
【００３７】
これにより、配管内部の状況を断熱材の表面まで正確に引き出すと共に聴診棒９の先端（聴診球１０）が当たりやすくなるので、聴診棒９の聴診球１０をこの聴診受台１９の所定の位置に、かつ一定の接触圧で当てて測定することができる。これにより点検箇所２について正確な測定が可能になる。
【００３８】
本発明の点検指標３のＲＦＩＤを配管１の点検箇所２に装着するときは次のような部位に装着する。配管、機器類１の点検箇所２は、流れが一定の箇所では異常は発生しづらいが、流体の流れが変化するバルブの近傍や、管が曲折する箇所は流体の流が変化するために管内部に変化や損耗が生じやすい。そこで、図１に示すように、バルブの近傍や管の曲折箇所に点検指標３を取り付ける。
【００３９】
また、管径が変化する部位も、流体の流れが変化する場所であり、経年により配管内面の損耗や亀裂が生じる可能性が高い部位である。このような部位に点検指標３を取り付ける。なお、これらは単なる一例に過ぎず、本発明の点検指標３を取り付ける部位はこのような場所に限定されない。更に、回転機器類にあっては、損耗しやすい軸受けに点検指標３を取り付けて聴診により点検する。
【実施例３】
【００４０】
図８は実施例３の聴診補助具を配管に取り付けた状態を示す断面図である。図９は実施例３の聴診補助具を示す拡大断面図である。
実施例３では、配管１に聴診補助具２１を取り付けた。高温高圧水が流体である場合などに、配管の屈曲部やバルブ・オリフィス取り付け部などで配管の減肉や亀裂が発生しやすい。また、高温高圧水は保温や触れた場合の安全のため断熱材２０を巻くケースが多く、その上からの正確な聴診は困難である。このため、点検箇所２に点検指標３のＲＦＩＤと共に断熱材２０を一部除去し、配管１の表面を研磨した後、点溶接、鉄パテ又は取り付け用バンドなどにより聴診補助具２１を取り付ける。
【００４１】
このように、聴診補助具本体２２の音聴収部２３を配管１の表面に接触させ、聴診補助具２１の頭部２４が断熱材２０の隙間から露出するように配置したものである。この頭部２４の近傍に点検指標３のＲＦＩＤを取り付ける。これにより、配管１の周囲に断熱材２０を被覆している点検箇所２についても、聴診棒９の聴診球１０をこの聴診補助具２１の頭部２４に、かつ一定の接触圧で当てて測定することができる。
【実施例４】
【００４２】
図１０は実施例４の骨伝導マイクロホンを配管に取り付けた状態を示す断面図である。
実施例４では、聴診受台１９に伝導される振動を無線交信機能付き骨伝導マイクロホン２５で収集し、無線や有線の通信手段で直接監視箇所にあるコンピュータに伝送・保存することもできる。
【００４３】
なお、本発明は、配管、機器類１の稼動時における状況、流体が流れている配管等の状況を聴診装置５により点検すると共に、その点検箇所２の位置を正確に検出することで、機器類は元より長尺な配管のように広範囲な監視範囲であってもその異常個所と異常状況を確実かつ容易に点検することができれば、上述した発明の実施の形態に限定されず、本発明の要旨を逸脱しない範囲で種々変更できることは勿論である。
【産業上の利用可能性】
【００４４】
本発明の自走ロボットを用いた聴診点検装置は、主に広範囲な点検が必要な長尺な配管に利用できるが、回転機器や可動機構を有する機器類であって劣化、異常状態が生じると発する音が変化するものであればその点検に利用することができる。
【図面の簡単な説明】
【００４５】
【図１】実施例１の自走ロボットを用いた聴診点検装置を用いて配管の点検箇所を聴診する状態を示す説明図である。
【図２】聴診点検装置を示す装置構成図である。
【図３】聴診結果を判定するためのシステムを示すブロック図である。
【図４】聴診による配管、機器類の点検箇所の損耗や亀裂などの状況を判定する状態を示すフロー図である。
【図５】実施例２の配管の点検箇所に点検指標のＲＦＩＤと共に聴診受台を取り付けた状態を示す正面図である。
【図６】実施例２の配管の点検箇所に点検指標のＲＦＩＤと共に聴診受台を取り付けた状態示す断面図である。
【図７】実施例２の聴診受台を示す拡大断面図である。
【図８】実施例３の聴診補助具を配管に取り付けた状態を示す断面図である。
【図９】実施例３の聴診補助具を示す拡大断面図である。
【図１０】実施例４の骨伝導マイクロホンを配管に取り付けた状態を示す断面図である。
【符号の説明】
【００４６】
１  配管、機器類
２  点検箇所
３  点検指標（ＲＦＩＤ）
４  読取装置
５  聴診装置
６  自走ロボット
７  判定装置
８  伝送装置
９  聴診棒
１０  聴診球
１１  信号変換器
１２  駆動装置
１３  タイヤ
１４  制御装置
１５  端末装置
１６  自走ロボット本体
１７  データをデータベース
１８  演算処理部
１９  聴診受台
１９ａ  聴診受台の凹面部
２０  断熱材
２１  聴診補助具
２２  聴診補助具本体
２３  音聴収部
２４  頭部
２５  骨伝導マイクロホン
【図１】
2006184027.tif 000003
【図２】
2006184027.tif 000004
【図３】
2006184027.tif 000005
【図４】
2006184027.tif 000006
【図５】
2006184027.tif 000007
【図６】
2006184027.tif 000008
【図７】
2006184027.tif 000009
【図８】
2006184027.tif 000010
【図９】
2006184027.tif 000011
【図１０】
2006184027.tif 000012